(57)【要約】  ガード部材が折れるのを防止できるだけでなく、このガード部材の向きを調節するのが容易であり、さらには、ガード部材の交換が容易な釣り針用ガードを提供する。釣り針用ガード１０を、可撓性を有するガード部材１４と、弾性材料で形成されており、釣り針１２の軸１２ｂが挿通される、軸１２ｂよりも小径の軸挿通孔１８、および、ガード部材１４の他端部１４ｂが釣り針１２の先端部１２ａに向くようにしてガード部材１４の一端部１４ａを保持するガード部材保持部２０を有するベース１６とで構成することにより、上記課題を解決することができる。
2013069062.tif 000002
【特許請求の範囲】
【請求項１】
可撓性を有するガード部材と、
弾性材料で形成されており、釣り針の軸が挿通される、前記軸よりも小径の軸挿通孔、および、前記ガード部材の他端部が前記釣り針の先端部に向くようにして前記ガード部材の一端部を保持するガード部材保持部を有するベースとを備える釣り針用ガード。
【請求項２】
前記ベースの前記ガード部材保持部は、貫通孔であり、
前記ガード部材は、１本の線状材料を折り曲げることによって形成されているとともに、その折曲部が前記ベースに保持される前記一端部になっており、前記ガード部材を前記ガード部材保持部に挿通することによって前記ガード部材が前記軸挿通孔を跨ぐように配設されていることを特徴とする請求項１に記載の釣り針用ガード。
【請求項３】
前記ガード部材保持部は、前記軸挿通孔を横切るとともに、前記釣り針の前記軸よりも幅広の貫通孔であることを特徴とする請求項２に記載の釣り針用ガード。
【請求項４】
前記ガード部材保持部の前記軸挿通孔に直交する幅方向断面形状は、前記軸挿通孔の中心軸を中心として対称になっていることを特徴とする請求項３に記載の釣り針用ガード。
【請求項５】
請求項１から４のいずれかの釣り針用ガードが取り付けられたガード付き釣り針。
【発明の詳細な説明】
【技術分野】
【０００１】
本発明は、釣り針が根掛かりしたり、釣り針に水草や浮遊物が不所望に引っ掛かるのを防止する釣り針用ガード、およびそのガードを取り付けたガード付き釣り針に関する。
【背景技術】
【０００２】
餌を取り付けた釣り針を出来るだけ魚の近くに投入することが、釣果を高める基本であるが、一般に、魚は水中の障害物や水面の浮遊物の近くに隠れていることが多いことから、魚の近くに釣り針を投入しようとするあまり、釣り針を障害物や浮遊物に引っ掛けてしまい、仕掛けを失ったり、魚を驚かせて逃がしてしまうことが多かった。【０００３】
このような問題に対応するため、図１１に示すような、釣り針用ガード１が開発されている。この釣り針用ガード１は、可撓性を有するナイロン製線材で形成されており、一方の端部２ａが所定の角度に折り曲げられたガード部材２と、釣り針３の軸３ａに前記ガード部材２の一方の端部２ａをあてがった状態で、釣り針３とガード部材２の一方の端部２ａとを束ねて固定する結束用糸材４とで構成されている。【０００４】
このような釣り針用ガード１をガード部材２の他方の端部２ｂが釣り針３の先端部３ｂの上方に位置するように釣り針３の軸３ａに取り付けることにより、障害物や浮遊物が釣り針３の先端部３ｂに掛かるよりも先にガード部材２に当たるので、釣り針３が障害物や浮遊物に引っ掛かるのを回避することができる。【０００５】
また、特許文献１に開示された釣り針用ガードは、上記釣り針用ガードを改良したものであり、釣り針の軸に取り付けられるガード部材の一方端部と釣り針の先端部に向かって延びる他方端部との間の折り曲げ部がコイル状に形成されており、ガード部材における釣り針側の先端に過大な力が繰り返し加えられた場合であっても、疲労等によってガード部材が折れてしまうのを防止できるようになっている。
【先行技術文献】
【特許文献】
【０００６】
【特許文献１】特開２００３−７０３８１号公報
【発明の概要】
【発明が解決しようとする課題】
【０００７】
しかしながら、上述した従来の釣り針用ガード１は、釣り針３の軸３ａに対してガード部材２を結束用糸材４で固定する必要があることから、ガード部材２の他方の端部２ｂがきちんと釣り針３の先端部３ｂに向くようにガード部材２を固定するのが難しく、また、せっかくガード部材２を適切な向きに取り付けても、使用中にガード部材２の向きがズレてしまい易いという問題があった。【０００８】
さらに、釣り場における障害物や浮遊物の量あるいはそれらの種類に応じて釣り針用ガード１のガード部材２の径や材質を変えることにより、ガード部材２の可撓性の大きさを調節するのが理想的であるが、従来例では、結束用糸材４で釣り針３に固定していることから、ガード部材２を交換するのに要する手間が非常に大きいという問題があった。【０００９】
本発明は、このような従来技術の問題点に鑑みて開発されたものである。それゆえに本発明の主たる課題は、ガード部材が折れるのを防止できるだけでなく、このガード部材の向きを調節するのが容易であり、さらには、ガード部材の交換が容易な釣り針用ガードおよびこれを用いた釣り針を提供することにある。
【課題を解決するための手段】
【００１０】
上記の課題を解決するため、本発明は、図１や図１０に示すように、釣り針用ガード１０を、
可撓性を有するガード部材１４と、
弾性材料で形成されており、釣り針１２の軸１２ｂが挿通される、前記軸１２ｂよりも小径の軸挿通孔１８、および、前記ガード部材１４の他端部１４ｂが前記釣り針１２の先端部１２ａに向くようにして前記ガード部材１４の一端部１４ａを保持するガード部材保持部２０を有するベース１６とで構成した。【００１１】
この発明の釣り針用ガード１０は、ガード部材１４の他端部１４ｂが釣り針１２の先端部１２ａに向くようにして、そのガード部材１４の一端部１４ａをベース１６のガード部材保持部２０に取り付けるとともに、軸挿通孔１８に釣り針１２の軸１２ｂを挿通して、所定の位置に取り付けることができる。ガード部材１４は、その一端部１４ａが弾性を有するベース１６に取り付けられていることから、このガード部材１４に過大な力が繰り返し加えられた場合であっても、ガード部材１４の可撓性に加え、ベース１６が自身の弾性によって変形することにより、疲労等によってガード部材１４が折れてしまうことがない。【００１２】
また、ベース１６の軸挿通孔１８は、釣り針１２の軸１２ｂよりも小径に形成されていることから、この軸挿通孔１８に釣り針１２の軸１２ｂを挿通すると、ベース１６はその弾性によって常に軸１２ｂを締め付けることになり、この締付力によってベース１６の位置が固定される。しかしながら、釣り針１２とベース１６とは、接着剤等で固定されている訳ではないので、その締付力よりも大きな力を付勢することにより、釣り針１２の軸１２ｂにおけるベース１６の位置および向きを容易に調整することができる。【００１３】
さらに、釣り針１２からベース１６を取り外すのが容易であることから、必要に応じてガード部材１４を簡単に交換することができる。【００１４】
なお、「可撓性」とは、釣り針用ガード１０の役割からもわかるように、障害物や浮遊物に当たったときにはほとんど撓むことがなく釣り針１２が障害物等に引っ掛かるのを避けることができ、かつ、魚が食い付いてきたときには撓んで釣り針１２が魚の口に引っ掛かる程度のものを意味している。これは、本明細書全体を通じて同じである。【００１５】
本発明には、次の構成を加えることが好ましい。すなわち、
前記ベース１６の前記ガード部材保持部２０は、貫通孔であり、
前記ガード部材１４は、１本の線状材料を折り曲げることによって形成されているとともに、その折曲部が前記ベース１６に保持される前記一端部１４ａになっており、前記ガード部材１４を前記ガード部材保持部２０に挿通することによって前記ガード部材１４が前記軸挿通孔１８を跨ぐように配設されている。【００１６】
これによれば、図５に示すように、ガード部材１４が軸挿通孔１８を跨ぐようにガード部材保持部２０に取り付けられるので、この軸挿通孔１８に釣り針１２を挿通して軸１２ｂの所定の位置にベース１６を配置したとき、ガード部材１４の折曲部（＝一端部１４ａ）が釣り針１２の軸１２ｂに掛かって引っ張り出せなくなる。【００１７】
また、図８に示すように、ガード部材保持部２０における他方の開口２６の幅方向中央部が開口していない場合でも、ガード部材１４の折曲部（＝一端部１４ａ）が引っ張り出せなくなる点で同じである。【００１８】
さらに、図９に示すように、軸挿通孔１８を挟む２本の貫通孔でガード部材保持部２０を構成し、他方の開口２６だけでなく、一方の開口２４の幅方向中央部も開口していない状態にすることもできる。この場合も、ガード部材１４の折曲部（＝一端部１４ａ）が引っ張り出せなくなる。【００１９】
したがって、上述した作用効果に加えて、ベース１６に対するガード部材１４の取り付けに接着剤等が不要となり、釣り針用ガード１０の取り付けや位置調整、また、ガード部材１４の交換が更に容易になる。【００２０】
また、以下の構成を加えることが好適である。すなわち、
前記ガード部材保持部２０は、前記軸挿通孔１８を横切るとともに、前記釣り針１２の前記軸１２ｂよりも幅広の貫通孔である。【００２１】
ガード部材保持部２０を、軸挿通孔１８を横切る、釣り針１２の軸１２ｂよりも幅広の貫通孔とすることにより、図５に示すように、ガード部材１４の一端部１４ａを釣り針１２の軸１２ｂに直接掛けることができるので、このガード部材１４と軸１２ｂとの間に弾性を有するベース１６が介在する場合とは異なり、ガード部材１４をしっかりと釣り針１２に取り付けることができる。【００２２】
さらに次の構成を加えることが好ましい。すなわち、
前記ガード部材保持部２０の前記軸挿通孔１８に直交する幅方向断面形状は、前記軸挿通孔１８の中心軸ＣＬを中心として対称になっている。【００２３】
これにより、釣り針用ガード１０が釣り針１２に取り付けられた状態で、折り曲げられて２本になったガード部材１４が、軸挿通孔１８に挿通された軸１２ｂを中心としてその幅方向に均等に並ぶようになり、釣り針１２に取り付けた状態の釣り針用ガード１０の見栄えを向上させることができる。【００２４】
また、本発明の釣り針用ガード１０を取り付けたガード付き釣り針も当然に上記課題を解決することができる。
【発明の効果】
【００２５】
本発明によれば、ガード部材が折れるのを防止できるだけでなく、このガード部材の向きを調節するのが容易であり、さらには、ガード部材の交換が容易な釣り針用ガードおよびこれを用いたガード付き釣り針を提供する。
【図面の簡単な説明】
【００２６】
【図１】本発明が適用されたガード付き釣り針の正面図である。
【図２】釣り針用ガードを構成するベースの（ａ）正面図、（ｂ）平面図、（ｃ）Ａ−Ａ断面図、および（ｄ）Ｂ−Ｂ断面図である。
【図３】ベースに形成されたガード部材保持部の形状に関する他の実施例を示す正面図である。
【図４】ベースの製造手順を説明するための図である。
【図５】釣り針用ガードの取り付け手順を説明するための断面図である。
【図６】釣り針用ガードの取り付け手順を説明するための断面図である。
【図７】他の実施例を示す正面図である。
【図８】他の実施例を示す断面図である。
【図９】他の実施例を示す断面図である。
【図１０】他の実施例を示す断面図である。
【図１１】従来技術を示す図である。
【発明を実施するための形態】
【００２７】
以下、本発明の実施形態を、図面を用いて説明する。図１は、本発明の釣り針用ガード１０を任意の釣り針１２に取り付けた状態を示す図である。この釣り針用ガード１０は、ガード部材１４と、ベース１６とで構成されている。
【００２８】
ガード部材１４は、可撓性を有する材料で形成された部材であり、本実施例では、ナイロンが使用されているが、ナイロンのような合成繊維／樹脂に限らず、ニッケルやチタンといった金属の線状材料であれば可撓性が有るので、これらを使用することもできる。
【００２９】
本実施例では、１本の線状材料をその中央部で折り曲げることによってガード部材１４が形成されている。後述するように、この折曲部がベース１６に嵌め込まれる一端部１４ａになっており、その反対側端部（他端部１４ｂ）が釣り針１２の先端部１２ａの上方に配置される（１本の線状材料を折り曲げているので、他端部１４ｂは２カ所存在することになる。）。もちろん、１つの釣り針用ガード１０に対して複数本のガード部材１４を使用してもよい。
【００３０】
また、ガード部材１４に使用する線状材料の直径は、ナイロンであれば０．３ｍｍから０．６ｍｍの間において０．１ｍｍ刻みで準備しておくのが好適であり、ニッケルやチタンといった金属の線状材料であれば、０．１ｍｍから０．３ｍｍの間において、０．１ｍｍ刻みで準備しておくのが好適である。
【００３１】
ベース１６は、弾性材料で形成されており、図２に示すように、軸挿通孔１８、およびガード部材保持部２０を有している。ベース１６を形成する弾性材料としては、軸挿通孔１８にそれよりも径の大きな釣り針１２の軸１２ｂを挿通することができ、位置決め後はその弾性復元力で軸１２ｂを締め付けてベース１６の位置を保持できるものであれば、エラストマ、ブチルゴム、軟質ポリウレタン、その他の材料を使用することができる。なお、瞬間接着剤でガード部材１４をベース１６に固定する場合には、瞬間接着剤が効きにくいシリコンをベース１６の材料として使用するのは避ける方がよい。
【００３２】
また、ベース１６の上部（釣り針１２に取り付けたときに、釣り針１２のチモトに近い端部）は、略半球状に形成されており、下部はテーパー状に形成されている。上部を略半球状に形成することにより、釣り針１２を水中から引き上げる際の水抵抗が低減される。また、下部をテーパー状に形成することにより、ベース１６が釣り針１２の軸１２ｂをずり下がり難くなる。
【００３３】
軸挿通孔１８は、釣り針１２の軸１２ｂの径よりも小径で、ベース１６を上下方向に貫通するようにして形成されている。なお、軸挿通孔１８の断面形状は、図示するような円形に限られず、角形であってもよい。また、軸挿通孔１８の径寸法は、使用する釣り針１２の軸１２ｂの径寸法およびベース１６を構成する弾性材料の弾性率等に応じて決定される。
【００３４】
ガード部材保持部２０は、ガード部材１４の他端部１４ｂが釣り針１２の先端部１２ａに向くようにしてガード部材１４の一端部１４ａを保持する、ベース１６を左右方向に貫通する貫通孔である。また、このガード部材保持部２０は、軸挿通孔１８を横切るとともに、釣り針１２の軸１２ｂよりも幅広に形成されている。このガード部材保持部２０の断面形状は、図示するような横長の長方形状に限られず、図３に示すような楕円形状（図３（ａ））、あるいは菱形状（図３（ｂ））であってもよいが、ガード部材保持部２０の軸挿通孔１８に直交する幅方向断面形状を、軸挿通孔１８の中心軸ＣＬを中心として対称にするのが好適である。このように対称に形成することにより、折り曲げられて２本になったガード部材１４が、軸挿通孔１８に挿通された軸１２ｂを中心としてその幅方向に均等に並ぶようになり、釣り針１２に取り付けた状態の釣り針用ガード１０の見栄えを向上させることができる。
【００３５】
このような釣り針用ガード１０の製造手順および釣り針１２への取り付け手順について説明する。
【００３６】
釣り針用ガード１０のベース１６は、射出成形にて製造される。図４に示すように、ベース１６の外形と同じ形状にされたキャビティ内の軸挿通孔１８およびガード部材保持部２０を形成する位置に予め中子２２を配置しておき、弾性材料を射出する。然る後、中子２２を取り外してベース１６が完成する。もちろん、ガード部材保持部２０の形成にのみ中子２２を使用し、軸挿通孔１８はドリルやキリ等で別途形成してもよい。
【００３７】
ベース１６を形成した後、１本の線状材料をその中央部で折り曲げて形成したガード部材１４を、図５に示すように、その一端部１４ａ（＝折曲部）からベース１６のガード部材保持部２０に嵌め込む。このとき、ガード部材１４が軸挿通孔１８を跨ぐ位置まで、その一端部１４ａを嵌め込む必要がある。
【００３８】
然る後、軸挿通孔１８に釣り針１２を挿通し、釣り針１２の軸１２ｂにおける所望の位置までベース１６（およびガード部材１４）を移動させる。最後に、図６に示すように、ガード部材１４を釣り針１２の先端部１２ａ側に引っ張り、その一端部１４ａ（＝折曲部）が釣り針１２の軸１２ｂに掛かるようにして釣り針用ガード１０の釣り針１２への取り付けが完了する。これにより、ガード部材１４の一端部１４ａ（＝折曲部）が釣り針１２の軸１２ｂに掛かってそれ以上引っ張り出せなくなる。
【００３９】
本実施例の釣り針用ガード１０は、ガード部材１４の一端部１４ａ（＝折曲部）をベース１６のガード部材保持部２０に嵌め込むとともに、軸挿通孔１８に釣り針１２の軸１２ｂを挿通して所定の位置に取り付けることができる。ガード部材１４は、その一端部１４ａが弾性を有するベース１６に取り付けられていることから、このガード部材１４に過大な力が繰り返し加えられた場合であっても、ガード部材１４の可撓性に加え、ベース１６が自身の弾性によって変形することにより、疲労等によってガード部材が折れてしまうことがない。
【００４０】
また、ベース１６の軸挿通孔１８は、釣り針１２の軸１２ｂよりも小径に形成されていることから、この軸挿通孔１８に釣り針１２の軸１２ｂを挿通すると、ベース１６はその弾性によって常に軸１２ｂを締め付けることになり、この締付力によってベース１６の位置が固定される。しかしながら、釣り針１２とベース１６とは、接着剤等で固定されている訳ではないので、その締付力よりも大きな力を付勢することにより、釣り針１２の軸１２ｂにおけるベース１６の位置および向きを容易に調整することができる。
【００４１】
さらに、ガード部材１４は、ベース１６のガード部材保持部２０に嵌め込まれているだけであるから、ガード部材１４を交換する必要がある場合には、釣り針１２をベース１６から抜き出した後、古いガード部材１４をガード部材保持部２０から抜き出して新しいガード部材１４をこのガード部材保持部２０に嵌め込み、上述のように、再び釣り針１２をベース１６の軸挿通孔１８に挿通することにより、ガード部材１４を容易に交換することができる。
【００４２】
また、釣り針用ガード１０の取り付けに接着剤等が不要となるので、釣り針用ガード１０の取り付けや位置調整、さらにはガード部材１４の交換を容易に行うことができる。
【００４３】
なお、上記実施例では、ベース１６のガード部材保持部２０が軸挿通孔１８に対してほぼ直交する角度で形成されており、ガード部材１４は、釣り針１２の軸１２ｂに対して直交する角度で伸びている（図１参照）が、軸挿通孔１８に対するガード部材保持部２０の角度はこれに限定されるものではなく、例えば、図７に示すように、ガード部材１４が釣り針１２の軸１２ｂに対して鋭角θとなるように、ガード部材保持部２０を軸挿通孔１８に対して鋭角θに形成してもよい。ガード部材１４の他端部１４ｂを釣り針１２の先端部１２ａにより近づけたい場合に効果的である。
【００４４】
また、ガード部材保持部２０の変形例として、図８に示すように、その形状を断面視コ字状に形成し、ガード部材保持部２０の一方の開口２４から見たときに、軸挿通孔１８まではガード部材保持部２０の幅方向全体が開口しているのに対し、他方の開口２６から見たときには、ガード部材保持部２０の幅方向の中央部が開口しておらず、幅方向の両端部のみが開口するようにしてもよい。これによれば、ベース１６の製造時において、上記実施例のように二分割の中子２２を使用する必要が無く、図８（ａ）に示すように、コ字状の中子２２を一つ使用するだけでよいので、より簡単にベース１６を製造することができるようになる。図８（ｂ）は、このベース１６の変形例にガード部材１４を取り付けた状態を示している。この場合、ガード部材１４の他端部１４ｂをベース１６の他方の開口２６にそれぞれ挿通し、ガード部材１４の一端部１４ａを他方の開口２６の中央部に当て止めることになる。
【００４５】
また、図９に示すカード部材保持部２０の変形例では、軸挿通孔１８を挟む２本の貫通孔でガード部材保持部２０が構成されており、他方の開口２６だけでなく、一方の開口２４の幅方向中央部も開口していない状態になっている。この場合も、ガード部材１４の他端部１４ｂをベース１６の他方の開口２６にそれぞれ挿通し、ガード部材１４の一端部１４ａを他方の開口２６の中央部に当て止めることになる。
【００４６】
さらに、別の実施例として、図１０に示すように、ガード部材保持部２０を貫通孔にしない例も考えられる。この場合、ガード部材１４には、線状材料が折り曲げられることなくそのまま使用され、線状のガード部材１４の一端部１４ａがガード部材保持部２０に挿設される。ただし、この実施例の場合、ガード部材１４とベース１６とを瞬間接着剤等で固定する必要があるので、上述した実施例に比べて、釣り針用ガード１０の取り付けや位置調整、ガード部材１４の交換にやや手間がかかる可能性がある。
【符号の説明】
【００４７】
１０…釣り針用ガード：１２…釣り針：１２ａ…（釣り針の）先端部：１２ｂ…（釣り針の）軸：１４…ガード部材：１４ａ…（ガード部材の）一端部：１４ｂ…（ガード部材の）他端部：１６…ベース：１８…軸挿通孔：２０…ガード部材保持部：２２…中子：２４…一方の開口：２６…他方の開口
【図１】
2013069062.tif 000003
【図２】
2013069062.tif 000004
【図３】
2013069062.tif 000005
【図４】
2013069062.tif 000006
【図５】
2013069062.tif 000007
【図６】
2013069062.tif 000008
【図７】
2013069062.tif 000009
【図８】
2013069062.tif 000010
【図９】
2013069062.tif 000011
【図１０】
2013069062.tif 000012
【図１１】
2013069062.tif 000013
【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
可撓性を有するガード部材と、
弾性材料で形成されており、釣り針の軸が挿通される、前記軸よりも小径の軸挿通孔、および、前記ガード部材の他端部が前記釣り針の先端部に向くようにして前記ガード部材の一端部を保持するガード部材保持部を有するベースとを備える釣り針用ガードであって、
前記ベースの前記ガード部材保持部は、貫通孔であり、
前記ガード部材は、１本の線状材料を折り曲げることによって形成されているとともに、その折曲部が前記ベースに保持される前記一端部になっており、前記ガード部材を前記ガード部材保持部に挿通することによって前記ガード部材が前記軸挿通孔を跨ぐように配設されていることを特徴とする釣り針用ガード。
【請求項２】
前記ガード部材保持部は、前記軸挿通孔を横切るとともに、前記釣り針の前記軸よりも幅広の貫通孔であることを特徴とする請求項１に記載の釣り針用ガード。
【請求項３】
前記ガード部材保持部の前記軸挿通孔に直交する幅方向断面形状は、前記軸挿通孔の中心軸を中心として対称になっていることを特徴とする請求項２に記載の釣り針用ガード。
【請求項４】
請求項１から３のいずれかの釣り針用ガードが取り付けられたガード付き釣り針。
【請求項５】
（削除）
【国際調査報告】
2013069062.tif 000014
2013069062.tif 000015
2013069062.tif 000016
2013069062.tif 000017